(57)【要約】  手術中に使用される手術用ドレープは、患者の少なくとも一部を覆うように形成されたシート（１０）を含む。シートは、上部表面及び、上部表面に相対する低部表面を持つ。膨張可能な部材（２０）は、シートにより支持される。膨張可能な部材は、非膨張状態及び膨張状態を持つ。膨張可能な部材は、膨張状態にあるとき隆起部分を形成する。【選択図】図３
2007513733.tif 000002
【特許請求の範囲】
【請求項１】
患者の手術中に使用される手術用ドレープであって、
上部表面及び前記上部表面とは反対側の底部表面を持ち、手術中に患者の少なくとも一部を覆うように形成されたシートと、
前記シートに支持され、非膨張状態及び膨張状態を持つ膨張可能な部材と、
から成り、前記膨張状態にあるとき、前記膨張可能な部材は隆起部分を形成することを特徴とする手術用ドレープ。
【請求項２】
前記シートは、前記シートの前記上部及び底部表面両方を通る開窓を定めることを特徴とする請求項１に記載の手術用ドレープ。
【請求項３】
前記開窓を境界する布を含み、前記布は流体管理機能を備えることを特徴とする請求項２に記載の手術用ドレープ。
【請求項４】
前記膨張可能な部材は、前記シートと一体に形成されるか、又は前記シートとは別の部品で前記シートに取り付けられるかのいずれかであることを特徴とする請求項１から請求項３までのいずれか１項に記載の手術用ドレープ。
【請求項５】
前記膨張可能な部材は、前記シートの前記上部表面上か、前記シートの底部表面上か、或いは前記シートの前記上部表面と前記底部表面との間に配置されることを特徴とする請求項１から請求項４までのいずれか１項に記載の手術用ドレープ。
【請求項６】
前記布は、流体吸収性、流体不透過性、又は疎水性のいずれかであることを特徴とする請求項３から請求項５までのいずれか１項に記載の手術用ドレープ。
【請求項７】
前記膨張可能な部材は、前記非膨張状態と前記膨張状態の間で繰り返して変化させることができるように形成されていることを特徴とする請求項１から請求項６までのいずれか１項に記載の手術用ドレープ。
【請求項８】
前記膨張可能な部材は、前記膨張状態にある時、クッション効果を与える部材として機能するように配置されたことを特徴とする請求項１から請求項７までのいずれか１項に記載の手術用ドレープ。
【請求項９】
前記膨張可能な部材は、前記膨張状態にある時、前記シートに接触する流体の流れを方向転換するための方向転換部材として機能するように配置されていることを特徴とする請求項１から請求項７までのいずれか１項に記載の手術用ドレープ。
【請求項１０】
前記膨張可能な部材は、前記膨張状態にある時、前記シートに接触する流体を保持するための流体保持部材として機能することを特徴とする請求項１から請求項７までのいずれか１項に記載の手術用ドレープ。
【請求項１１】
前記膨張可能な部材は、前記膨張状態にある時、物体を保持することが可能な受け部を少なくとも部分的に定めるように配置されたことを特徴とする請求項１から請求項７までのいずれか１項に記載の手術用ドレープ。
【請求項１２】
前記膨張可能な部材は、前記非膨張状態から前記膨張状態に、流体により膨張可能なチャンバーであることを特徴とする請求項１から請求項１１までのいずれか１項に記載の手術用ドレープ。
【請求項１３】
前記膨張可能な部材は、前記非膨張状態に可逆的に潰され、その状態に拘束された連続気泡発泡体を含み、前記膨張状態に拘束されない状態にされた時に膨張することを特徴とする請求項１から請求項１１までのいずれか１項に記載の手術用ドレープ。
【請求項１４】
前記シートは、折りたたんだ位置及び広げた位置を持ち、位置を変化させることによって前記シートの少なくとも一部の位置が変化させられることを特徴とする請求項１から請求項１３までのいずれか１項に記載の手術用ドレープ。
【請求項１５】
前記シートは、前記膨張可能な部材が前記非膨張状態から前記膨張状態に状態を変化する時に、前記折りたたんだ位置から前記広げた位置に、位置が変化することを特徴とする請求項１４に記載の手術用ドレープ。
【請求項１６】
前記シートは、前記膨張可能な部材が前記膨張状態から前記非膨張状態に位置を変化する時に、前記広げた位置から前記折りたたんだ位置に、位置を変化することを特徴とする請求項１４に記載の手術用ドレープ。
【請求項１７】
前記膨張可能な部材と連通状態に位置されるように形成された流体運搬装置をさらに含み、前記流体運搬装置は、前記非膨張状態から前記膨張状態に前記膨張可能な部材を膨張させるために、流体を前記膨張可能な部材に供給するように形成されたことを特徴とする請求項１から請求項３までのいずれか１項に記載の手術用ドレープ。
【請求項１８】
前記シートにより支持された子袋をさらに含み、前記膨張状態においては、前記膨張可能な部材が前記子袋の入口開口を少なくとも部分的に定めることを特徴とする請求項１から請求項１７までのいずれか１項に記載の手術用ドレープ。
【請求項１９】
前記膨張可能な部材は、前記布と間隔を持つことを特徴とする請求項３から請求項１８までのいずれか１項に記載の手術用ドレープ。
【請求項２０】
前記布は、前記膨張可能な部材を支持することを特徴とする請求項３から請求項１８までのいずれか１項に記載の手術用ドレープ。
【発明の詳細な説明】
【技術分野】
【０００１】
手術処置中に患者の手術部位を無菌状態に保つために、様々な型の手術用ドレープが使用されてきた。時には使い棄て可能なドレープが使用されており、典型的には、使い棄てドレープは不織紙又は不織布を含み、この不織紙又は不織布が実質的部分を形成する。構造的強度を付与し、更に／又は手術部位からの身体排出液を吸収するために、補強された領域が開窓の周囲に配置されることが多い。
【０００２】
ある種の手術処置は、手術の時に、例えば血液又は塩水灌注用流体といった流体を大量に含む。望まれない流体を除去するために、時には、タオル、吸引装置、手術用スポンジ、及び他の流体管理装置が使用される。更に、手術用ドレープは、プラスチック桶、子袋又は他の装置を備えていることがあり、これは手術をしている地点から手術用ドレープの離れた領域に流体を移動させるように構成されている。ここでは、余剰流体は子袋又は余剰流体を収容することが可能な他の部材の中に収容させることができ、これは次に廃棄されることになる。
【０００３】
手術用ドレープは又、手術処置中に使用される手術用器具をその上に維持するために設計されてきた。例えば、複数の結合紐材料を、ドレープの上部表面に取り付けることができ、更に１つ又はそれより多い手術用装置に係合して、これを保持するために、フック・ループ型締結用具を含むことができる。この型の設計は、そこから手術用器具を取り外し、かつ、取り付けるために、外科医が装置を扱う必要がある。
【発明の開示】
【発明が解決しようとする課題】
【０００４】
本発明は、手術用ドレープ上で流体を流すことを可能にし、流体を保持し又は集積することを可能にし、手術用ドレープ上に器具を固定することを可能にし、手術中の患者及び／又は健康ケア−担当者にクッション効果を付与し、及び／又は、子袋、ポケットスリーブ、及び同様のものに入り口開口を定めることを可能にする、改善された手術用ドレープを提供する。
【０００５】
【特許文献１】米国特許第６，０５５，９８７号公報
【特許文献２】米国特許第５，５４０，９７９号公報
【特許文献３】米国特許第５，４１８，０４５号公報
【０００６】
本発明の様々な特徴及び利点が以下の説明に述べられ、或いは、その説明から明らかとなる。
【０００７】
本発明は、手術中に患者の少なくとも一部を覆うように形成されたシートを含む手術用ドレープを提供する。シートは、互いに反対側に向いた上部表面及び底部表面を持つ。膨張可能な部材は、シートにより支持され、非膨張状態と膨張状態の双方を持つ。膨張可能な部材が膨張状態にある時に、膨張可能な部材は隆起部分を形成する。
【０００８】
膨張可能な部材は、手術用ドレープに様々な有益な特徴を付与する。例えば、膨張可能な部材は、患者及び／又は健康ケア−担当者を怪我又は望まれない力から防ぐために、クッション効果を与える部材として機能することができる。膨張可能な部材は、シートに接触する流体の流れを方向変換するための方向変換部材として、或いはシートに接触する流体を保持する流体保持部材として機能することができる。膨張可能な部材は、ドレープに取り付けられる流体集積部品を最適に位置決めさせることができる。更に、膨張可能な部材は、手術用器具を受け取るために形成される器具保持部として機能することができ、更に患者の上にドレープ自体を位置決めするのを助けることができる。
【０００９】
膨張可能な部材は、本発明の様々な例示的実施形態に応じて異なるように形成することができる。例えば、膨張可能な部材は、流体、例えば空気によって非膨張状態から膨張状態に膨張可能なチャンバーとすることができる。代替的には、膨張可能な部材は、連続気泡発泡体とし、可逆的に潰して、非膨張状態で、適正な大きさの潰された拘束チャンバー、例えば袋内に封入することができる。潰されたチャンバーを破壊又は開口して、チャンバーの内部を大気圧に接触させると、連続気泡発泡体の拘束力が取り除かれ、連続気泡発泡体が膨張状態に膨張するようになる。
【００１０】
膨張可能な部材は、多くの様々な形態でシート上において方向付けることができる。膨張可能な部材は、シートの上部表面、又はシートの底部表面に配置することができる。膨張可能な部材は、シートと一体に形成することができ、或いはシートとは別の部品とし、該シートに取り付けることができる。シートは、開窓を含み、該開窓を囲む布を持つことができる。この場合には、膨張可能な部材は、布と間隔を持つようにするか、布によって支持されるかのいずれかとすることができる。布は、流体を吸収するか、流体撥水性か、或いは双方の組み合わせを持つものとすることができる。
【００１１】
膨張可能な部材は、スリーブ、ポケット、子袋、及び同様のもののための入口開口を定める手段を設けることができる。ある例示的実施形態においては、膨張可能な部材は、膨張状態に置かれた時、流体保持子袋の入口開口を定めるのに、該膨張可能な部材が助けとなるように形成することができる。
【００１２】
本発明の主題についての、その最適の形態を含む、完全で実施可能とするための開示が、当業者のために、この明細書に述べられており、明細書は、添付図面を参照する。
【００１３】
本明細書及び添付された図面全体にわたって、繰り返して使用されている参照記号は、本発明の同一の又は類似した特徴或いは要素を表わすことを意図している。
【発明を実施するための最良の形態】
【００１４】
幾つかの例が図面に示された本発明の実施形態を、以下に詳細に説明する。各々の例は、本発明の説明のために与えられるものであり、本発明を制限するものではない。例えば、１つの実施形態の部分として描かれ、説明されている特徴を、別の実施形態において使用し、第三の実施形態とすることができる。本発明はこれらの更に他の修正及び変更を含むことを意図する。
【００１５】
本発明は、ここで述べられている数値範囲及び限界に制限されるものではない。例えば、約１００から約２００という範囲は、約１１０から約１９０、約１４０から１６０、及び１３１から１４５の範囲を含む。更なる例として、約１０より小さいという数値限定は、約７より小さい数値的限界、約５より小さい数値的限界、及び約３より小さい数値限界を含む。
【００１６】
一般的に図１を参照すると、本発明は、医療処置の間に、患者の少なくとも一部を覆って使用するためのシート１４を持つ手術用ドレープ１０を提供する。膨張可能な部材２０は、シート１４により支持され、非膨張状態と膨張状態の双方に形成することができる。膨張可能な部材２０は、手術用ドレープ１０に接触する流体が、望ましい位置に方向転換され、及び／又は、手術用ドレープ１０上に保持されるようにすることができる手術用ドレープ１０を形成する。膨張可能な部材２０は又、手術用器具を手術用ドレープ１０上に保持することができる領域を形成するように、手術用ドレープ１０を形成することが可能である。更に、膨張可能な部材２０は、患者及び／又は健康ケア−担当者を望まれない力又は怪我から守るために、クッション効果を与える部材として機能することができる。
【００１７】
本発明により形成された手術用ドレープ１０は、手術用ドレープ１０の特定の用途及びその望ましい特性に応じて、一般的に種々異なる大きさ又は形状のいずれとすることもできる。例えば、手術用ドレープ１０は、Ｇｒｉｅｓｂａｃｈ他の米国特許第６，０５５，９８７号に記載されたように形成することができ、この特許の全体は、すべての目的について引用によりここに組み入れられる。本発明の１つの例示的実施形態においては、シート１４は、１９３ｃｍｘ３０５ｃｍ（７６インチｘ１２０インチ）であり、ポリオレフィン系スパンボンド及びメルトブローン層により形成される。布２４を、この例示的実施形態に組み込むことができ、かつ、例えば、６５ｃｍｘ１００ｃｍ（２５．６インチｘ３９．４インチ）とすることができる。
【００１８】
図１は、開窓２２（手術用ドレープ１０の開口）を定めるシート１４を持つ手術用ドレープ１０の斜視図である。開窓２２は、どんな大きさ又は形状とすることもできる。更に、布２４は、開窓２２の各々の側部を完全に囲むようにすることができ、或いは、開窓２２の１つだけの近傍に、或いは、２つ又は３つの側部の近傍に配置することができる。例えば、本発明の図１に描かれた１つの例示的実施形態によると、開窓２２は、１０ｃｍｘ３０．５ｃｍ（３．９４インチｘ１２インチ）の長方形開口である。布２４は、シート１４に組み込まれ、開窓２２を囲む。この場合、布２４は、シート１４の上部表面１６に結合される。膨張可能な部材２０は、シート１４の底部表面１８に取り付けられる別個の部品である。膨張可能な部材２０は、シート１４のいずれかの側に接合され（図２に見られるように）、開窓２２の周囲全体に延びる。したがって、膨張可能な部材２０は、開窓２２を囲む単一チャンバー２８を定める。
【００１９】
図３及び図４は、膨張可能な部材２０が膨張状態に置かれる時の、図１及び図２の手術用ドレープ１０を示している。この点に関して、膨張可能な部材２０は、空気又は他の流体を導くことができるポート４２が備えられている。このようにすることによって、チャンバー２８が膨張させられるようになる。チャンバー２８の膨張は、それに続いて、図１及び図３を比較してわかるように、シート１４の形態に変化をもたらすことになる。この点に関して、チャンバー２８の膨張は、上部表面１６に谷４８を定めるようにシート１４を上方に持ち上げる。手術処置による流体は、谷部４８内に収容され、シート１４からこぼれないようにすることができる。更に、谷部４８は、手術用器具（図２３）をシート１４から滑ったり又は落ちたりしないように保持するために使用することができる。更に、チャンバー２８に充填された流体は、患者１２及び／又は健康ケア−担当者に、様々な力に対するクッション効果を与えることができる。膨張可能な部材２０は、代替的には、膨張状態において、手術用ドレープ１０の形態が、波形の形態から平坦な形態に変化するように形成することができる。
【００２０】
図２及び図４を参照すると、チャンバー２８は、膨張可能な部材２０とシート１４の底部表面１８の両方によって定められるように示されている。膨張可能な部材２０は、代替的には、チャンバー及び／又は要素のいずれからでも形成することができ、かつ、どんな数のチャンバー及び／又は要素で形成してもよいことが理解されるであろう。手術用ドレープ１０は、更に、チャンバー２８の全体が膨張可能な部材２０によって定められるように形成することができる。この型の構成は（図１−図４には示されず）、膨張可能な部材２０の全体の長さに沿って１対の流体シールを持つ必要性を排除するものである（図１−図４に示される場合のように）。この場合には、互いに取り付けられている不透過性フィルムの２つの層、或いは透過性フィルムの１つの層がチャンバー２８を定める。
【００２１】
膨張可能な部材２０は、手術用ドレープ１０のいずれかの部分、例えばシート１４及び／又は布２４に組み込むことができ、或いはシート１４の上部表面１６又は底部表面１８のいずれかに取り付けることができる。更に、膨張可能な部材２０は、布２４とシート１４の間に配置することができる。膨張可能な部材２０は、延伸可能な、及び／又は、延伸不能な部品又は材料を含むことができる。
【００２２】
本発明の他の例示的実施形態においては、膨張可能な部材２０は、種々異なる方法で手術用ドレープ１０に位置決めされ、形成され、更に構成される。例えば、膨張可能な部材２０が馬蹄形状で、開窓２２の近傍に配置されている例示的実施形態が、図５から図８に示されている。膨張可能な部材２０は、シート１４の上部表面１６に組み込まれている。図７に示されている膨張状態においては、膨張可能な部材２０は、一端部が開口しているが、この場合にも流体又は手術用器具３４を導引き、或いは保持することができる領域を付与する。
【００２３】
図６及び図８に見られるように、膨張可能な部材２０は、シート１４と一体に形成される。ここで、シート１４の部分である布２４は、チャンバー２８を定めるように形成される。チャンバー２８の膨張は、チャンバー２８を定める布２４の一部分を外向きに膨張させる。
【００２４】
他の例示的実施形態によると、布２４は存在しないことが分かる。この場合には、膨張可能な部材２０は、付加的材料を必要とせずに、シート１４によって一体に形成することができる。膨張可能な部材２０及びチャンバー２８は、膨張状態或いは非膨張状態のいずれにおいても、どんな断面形状ともすることができ、更に本発明は、図面に示されている特定の断面形状に制限されるものではない。
【００２５】
図５から図８に示されている膨張可能な部材２０は、ポート４２を通して流体の注入によって膨張させる。例えば、ポート４２に結合されている流体ライン４４を通して膨張可能な部材２０に空気を注入するために、空気ポンプ４０を使用することができる。空気ポンプ４０は、動力作動又は手動のいずれともすることもできる。更に、膨張可能な部材２０を非膨張状態から膨張状態に移動させるために、どんな型の流体を膨張可能な部材２０の中に注入することもでき、本発明は、空気だけが使用されるという形態に制限されるものではないことが理解されるべきである。更に、本発明は、流体を膨張可能な部材２０内に注入するために、代替的装置を使用するといった様々な例示的実施形態を含む。例えば、注射器型装置を膨張可能な部材２０に結合して、流体を膨張可能な部材２０に注入し、これを膨張させることができる。代替的には、１２ｇｍ使い棄てＣＯ２シリンダーなどの、シリンダー入り圧縮ガスを使用して、チャンバー２８を膨張させることができる。
【００２６】
膨張可能な部材２０は、チャンバー２８が気密になるように形成することができ、或いは、空気がある程度漏れるようにすることができる。このようにすると、膨張可能な部材２０は、膨張状態に置かれ、手術処置中に、膨張可能な部材２０を膨張状態に保持するために、十分な空気を存在させることができる。手術処置が完了すると、空気はチャンバー２８から漏れて、ある程度の時間が経過した後に、膨張可能な部材２０は非膨張状態に再配向される。
【００２７】
膨張可能な部材２０が、非膨張状態と膨張状態の間で繰り返し変化することが可能になるように、膨張可能な部材２０を形成することができる。例えば、膨張後に、ポート４２を開いて、流体をチャンバー２８から排出できるようにすることができる。膨張が再び望まれる時は、膨張可能な部材２０を膨張状態に置くために、チャンバー２８内に流体を再び導入することができる。
【００２８】
１つのチャンバー２８を持つように示されているが、他の例示的実施形態においては、どんな数のチャンバー２８も使用できることが分かる。更に、複数のチャンバー２８を、別々に膨張状態に膨張させて、様々な形態がシート１４上に形成されるようにすることができる。このように、あらゆる数の膨張可能な部材２０を、手術用ドレープ１０に含ませることができ、かつ、どんな大きさ又は形状ともすることができる。
【００２９】
シート１４の底部表面１８上に配置される場合には、膨張可能な部材２０の膨張は、シート１４の一部を上方向に移動させ、これにより、シート１４の形態を変更するものとなる。上部表面１６上に位置決めされる場合には、膨張可能な部材２０の膨張は、手術用ドレープ１０の形態を全体的に変化させることができるが、シート１４は最小の変化しかしない。シート１４及び／又は布２４に組み込まれる場合には、膨張可能な部材２０の膨張は、シート１４の形態に変化をもたらし、シート１４を１つ又はそれより多くの方向に移動させることになる。
【００３０】
図９及び図１０は、膨張可能な部材２０が、シート１４の底部表面１８上の一端部寄りに位置に取り付けられた膨張可能な部材２０の代替的例示的実施形態を示す。図１０に示された隆起部分は、クッション効果を与える部材として機能することができ、手術用器具３４が手術用ドレープ１０から滑り落ちないようにし、手術用ドレープ１０の上部表面１６上に流体を導くようにすることができる。膨張可能な部材２０の膨張は、上部表面１６を、例えば７．６ｃｍから１５ｃｍ（３インチから６インチ）の距離で上方向に移動させることができる。
【００３１】
手術用ドレープ１０の代替的例示的実施形態が、図１１から図１４に示されている。ここで、図１１及び図１２に示されるように非膨張状態にある場合には、膨張可能な部材２０は、袋３２内に可逆的に潰された形態で拘束される連続気泡発泡体３０を含む。連続気泡発泡体３０は圧縮され、次に袋３２によって覆われ、かなりの部分の空気が連続気泡発泡体３０から取り除かれる。この時点で、袋３２は、連続気泡発泡体３０を、圧縮された非膨張状態に拘束するために、密閉してシールすることができる。連続気泡発泡体を空気に曝すと、１つの例示的実施形態においては、１．３ｃｍ（０．５インチ）の上方向への膨張をもたらすことができる。
【００３２】
袋３２は、袋３２及び連続気泡発泡体３０の内部を大気圧にと接触させるために、穴を空けるか、そうでなければ開口させることができる。この点に関して、袋３２は、袋３２を破壊するために引っ張ることができるタブ（示されず）又は類似した装置を備えることができる。
【００３３】
連続気泡発泡体３０を大気圧に曝すと、空気が連続気泡発泡体３０を膨張させ、これにより膨張可能な部材２０を非膨張状態から図１３及び図１４に示す膨張状態に再配向することになる。各々の膨張可能な部材２０は、２個の連続気泡発泡体３０として示されており、膨張状態においては、谷部４８及び第二谷部５０を形成する。各々の膨張可能な部材２０は、連続気泡発泡体３０の各々がもう一方とは独立して膨張することが可能であるように形成することができる。このようにすると、健康ケア−担当者は、１個の連続気泡発泡体３０を膨張させ、他方の連続気泡発泡体３０を膨張させないままとすることができる。このことは、手術処置の特定の必要性に応じて、かなり自由に手術用ドレープ１０を望ましい形態に再配向させることを可能にする。代替的には、各々の連続気泡発泡体３０は、本発明の他の例示的実施形態によると、同時に膨張させることができる。膨張可能な部材２０は、谷部４８を流体保持のために使用し、第二谷部５０を手術用器具３４の保持のために使用することができる。
【００３４】
膨張可能な部材２０は、約３．８ｃｍ（１．５インチ）ｘ５３．３ｃｍ（２１インチ）の大きさの袋３２、及び約１．９ｃｍ（０．７５インチ）ｘ１．６ｃｍ（０．６２５インチ）ｘ４５．７ｃｍ（１８インチ）の大きさの連続気泡発泡体３０を含むものとすることができる。袋３２及び連続気泡発泡体３０の両方とも、約０．３ｃｍ（０．１２５インチ）の厚さを持つ比較的平坦なチューブを形成するよう圧縮され、シールされるようにすることができる。
【００３５】
図１５及び図１６は、手術用ドレープ１０に組み込まれた膨張可能な部材２０を示しており、ここでは、膨張可能な部材２０の主な目的は、患者１２にクッション効果を与えて保護することである。このようにすると、膨張可能な部材２０は、患者１２の側部に位置決めされ、膨張した時、患者１２から外向きに移動する。手術処置を受けるために横たわっている患者１２がいるテーブルの上に、健康ケア−担当者が寄りかかる場合もある。このような場合、健康ケア−担当者は、故意ではないが患者１２に寄りかかったり或いは患者と接触し、患者１２に怪我をさせたり又は手術処置を中断させることとなる。膨張可能な部材２０は、患者１２に寄りかかるかもしれない健康ケア−担当者によって与えられた力を吸収するためのクッション効果バリアとして機能することができる。
【００３６】
図１７及び図１８は、シート１４に取り付けられて、手術用ドレープ１０が患者１２の一部を覆う時に、膨張可能な部材２０が患者１２の脚部を覆って位置決めされるように配置された膨張可能な部材２０を示している。膨張可能な部材２０の膨張は、図１７及び図１８を比較して分かるように、手術用ドレープ１０のシート１４の再方向付けをもたらす。
【００３７】
図１９は、患者１２の上に置かれ、非膨張状態に膨張可能な部材２０を折りたたんだ手術用ドレープ１０を示している。手術用ドレープ１０は、接着剤又は他の固定システムによって患者１２に取り付けることができる。膨張可能な部材２０は、上記したのと類似した方法で膨張させることができる。図２０は、膨張状態における膨張可能な部材２０を示しており、手術用ドレープ１０の折りたたまれた部分を患者１２上に広げ、テーブル４６上に延ばすことにより、手術用ドレープ１０が手術処置のために適正な位置に位置決めされる。
【００３８】
膨張可能な部材２０を膨張させる前に、図１９の部分的に折りたたまれた状態から図２０の完全に広げられた状態までのドレープの状態変化は、健康ケア−担当者が患者１２の手術処置の準備をするのを助けるために膨張可能な部材２０の膨張を意図的に使用することの結果である。膨張可能な部材２０を手術用ドレープ１０の一部分として形成し、折りたたまれた手術用ドレープが、膨張可能な部材２０の膨張により完全に折りたたまれた状態から完全に広げられた状態に変化して、適切に位置決めされるようにする他の形態を考えることもできる。膨張可能な部材２０の膨張の間に、このような折りたたまれた状態から広げられた状態への状態の変化は、健康ケア−担当者が、手で手術用ドレープ１０を広げることなく成される。更に、手術用ドレープ１０は、膨張状態から非膨張状態に膨張可能な部材２０を収縮させて、手術用ドレープ１０を閉じた方向に折りたたむことが可能である。この場合、手術用ドレープ１０は、少なくとも部分的には剛性とすることができ、膨張可能な部材２０が非膨張状態である時は、膨張可能な部材２０に沿って移動させることができる。
【００３９】
膨張可能な部材２０が、例えば図１０に示すように、クッション効果部材として使用される場合には、該部材は、非膨張状態と膨張状態の上部表面１６の一部の高さを、約７．６ｃｍから約１５ｃｍ（３インチから約６インチ）の間まで、種々変化させることができる。膨張可能な部材２０が、流体の流れの方向付け又はシート１４上に流体を保持するために使用される場合には、非膨張状態と膨張状態の間で上部表面１６の一部の高さの距離が約７．６ｃｍ（３インチ）より小さい値だけ変化するようにすることができる。しかしながら、これらの範囲は例示としてのみ与えられるものである。
【００４０】
手術用ドレープ１０の別の例示的実施形態が図２１から図２４に示されている。ここでは、膨張可能な部材２０は、開窓２２から離れて配置され、図２２に見られるように、シート１４に取り付けられた布２４の真下に位置決めされる。膨張可能な部材２０は、流体を導入し、次いで膨張するために、ここでもポート４２を設ける。膨張状態においては、膨張可能な部材２０は、シート１４の上部表面１６上に器具保持部を形成する。図２３に見られるように、どのような形態の手術用器具３４も、膨張可能な部材２０により形成された谷４８に配置して、膨張可能な部材２０の存在によって、シート１４から滑り落ちることを防ぐことができる。このように、健康ケア−担当者は、シート１４上の手術用器具３４を保持するために、ラッチ機構又は他の締結用具を操作する必要はない。
【００４１】
谷部４８が手術用器具３４を保持するように形成される場合には、健康ケア−担当者により使用されるハンドフリーの受け渡しを可能にする。この場合には、針または刃物などの手術用器具３４は、谷部４８内に配置され、別の健康ケアー担当者によって谷部４８から取り上げられる。このようにすると、手術用器具３４は、１人の健康ケア−担当者の手から別の健康ケア−担当者の手に渡されるようなことはなくなる。この技術は、手術中に、皮膚の怪我の発生、手袋引き裂き、及び無菌領域での汚染の発生を減少することに効率的である。谷部４８は、本発明の様々な例示的実施形態によって、どんな形状又は大きさともすることができる。例えば、谷部４８は、１つの実施形態においては、深さがおよそ３ｃｍ（１．２インチ）とする。
【００４２】
手術用ドレープ１０は、図２５から図２７に見られるように、手術処置によって形成された流体を集積し、及び／又は保持するために、開窓５８の近く又は周囲に流体保持小袋３６を備えることができる。膨張可能な部材２０は、流体保持子袋３６の部分として含まれる。流体保持子袋３６は、シート１４に直ぐ近傍の側部部分又は縁部によって、少なくとも部分的に手術用ドレープ１０に取り付けられる。流体保持子袋３６とシート１４の間の取り付けは、固定システム５６を通して達成され、接着剤又はフック／ループ型要素は、これらのシステム５６の限定的でない例である。
【００４３】
膨張可能な部材２０が非膨張状態にある時、流体保持子袋３６は、本質的には閉状態である。図２６に示すように、膨張可能な部材２０が膨張状態に膨張することにより、膨張可能な部材２０が再配向され、上部表面１６から離れる方向に移動し、流体保持子袋３６のため予定された入口開口３８を定めるようになる。このような場合には、手術処置からの流体は、入口開口３８を通って流体保持子袋３６に容易に誘導することができる。流体保持子袋３６は、排出用プラグ６０を備えることができ、流体保持子袋３６内に収容された流体は、ここを通って取り除くことができる。代替的には、流体保持子袋３６は、手術処置の完了まで流体を充填しておき、手術処置が完了した時に、流体保持子袋３６及び／又はシート１４は、テーブル４６から取り除かれ、次に廃棄されるようにすることができる。
【００４４】
図２６及び図２７には、膨張可能な部材２０が入口開口３８を定めるものとして示されているが、膨張可能な部材２０は、流体保持子袋３６以外のものに対する入口開口を定めるために、手術用ドレープにおいて使用できることも理解すべきである。膨張可能な部材２０は、内視鏡部品、器具、チューブ、コード、及び他の望まれる品目を受け取るために、ポケット又はスリーブへの入口開口を定めるように機能することができ、手術場所の極めて近くに配置される。流体保持子袋３６ではなく入口開口を定めるために使用される場合には、膨張可能な部材は、開窓の近く又は回りの位置に限定される必要はない。
【００４５】
他の例示的実施形態においては、子袋への入口開口を定めるために膨張可能な部材２０を使用すると、手術用ドレープ１０に取り付けられるポケット及びスリーブが更に他の機能を付与することができることが理解される。例えば、入口開口３８を定めやすくすることに加えて、膨張可能な部材２０は、流体を誘導又は保持し、手術用器具３４を保持し、及び／又は手術用ドレープ１０にクッション効果を与える特徴を付与するように形成されることができる。この点に関して、望ましい機能を達成するために、手術用ドレープ１０において、単一の膨張可能な部材２０を使用することができ、或いは複数の膨張可能な部材２０を使用することができる。
【００４６】
膨張可能な部材２０を持った手術用ドレープ１０を使用できる種々異なる方法を更に説明するために、布２４及びシート１４の限定的でない態様が示されている。この布２４は、種々異なる方法でシート１４に組み込むことができる。例えば、布２４は、熱点接合、超音波点接合、接着剤又は機械的接合を使用して取り付けることができる。本発明の１つの例示的実施形態においては、布２４は、Ｌ８０５２−０１の名称でＦｉｎｄｌｅｙ  Ａｄｈｅｓｉｖｅｓから販売されている接着剤のような水性接着剤を使用して、シート１４に組み込まれる。布２４は、シート１４と同一の又は異なる特性をもつことができる。布２４は、多層不織布とすることができる。流体が通過するのを妨げるために、布２４及び／又はシート１４にフィルムを組み込むことができる。別の場合においては、布２４は、開窓２２の周囲領域において、構造的支持を付与することができる。
【００４７】
布２４は、不織層、接着層、フィルム層、及び／又は磁気層から形成することができる。幾つかの布２４又はすべての布２４は、親水性又は疎水性、或いは液体不透過性であるように形成することができる。更に、布２４は、望ましい吸収性特性を達成するために化学処理を行うことができる。この方法においては、幾つかの又はすべての布２４は、Ｙａｈｉａｏｕｉ他の米国特許第５，５４０，９７９号に記載されるような方法で界面活性剤で処理することができ、この特許の全体は、すべての目的について引用によりここに組み入れられる。
【００４８】
布２４は、メルトブローン層で形成し、スパンボンド層をいずれかの側部に配置したものとすることができる。代替的には、布２４は、３００７６−２１９９ジョージア州ロズウエル、Ｈｏｌｃｏｍｂ  Ｂｒｉｄｇｅ  Ｒｏａｄ１４００所在のＫｉｍｂｅｒｌｙ−Ｃｌａｒｋにより製造されたＣｏｎｔｒｏｌ（登録商標）Ｐｌｕｓのようなスパンボンド−メルトブローン−フィルム配列とすることができる。布２４は、Ｐｉｋｅ他の米国特許第５，４１８，０４５号に記載されているような多成分フィラメントの２つの層から形成されるスパンボンド層を含むことができ、この特許全体は、すべての目的について引用によりここに組み入れられる。
【００４９】
布２４は、付加層のない単一不織層とすることができ、これは、シート１４が流体バリア特性を与えるためのフィルムを含み、布２４は、促進された吸収性を与えることだけが必要とされる場合に適している。布２４が複数の層から形成される場合には、層は当業者に知られている従来の技術を使用して、互いに積層することができる。例えば、１つの例示的実施形態によると、１つ又はそれより多いメルトブローン層が、別個の接着点を使用して、１つ又はそれより多いスパンボンド層に熱により積層される。
【００５０】
本発明の様々な例示的実施形態においては、手術用ドレープ１０は、布２４を備える必要はないことが分かる。更に、本発明の他の例示的実施形態においては、シート１４は、開窓２２を定めることはない。
【００５１】
本発明のある例示的実施形態においては、膨張状態における膨張可能な部材２０は、膨張可能な部材２０と膨張可能な部材２０に接触する物体との間に緊密な流体シールは形成されない。したがって、膨張可能な部材２０は、いくらかの量の空気又は他の流体を、膨張可能な部材２０と膨張可能な部材に接触する物体、例えばテーブル４６、患者１２、又は他のシート１４の部分との間に通すことが可能になるように形成される。図２０を参照すると、膨張可能な部材２０は、テーブル４６とテーブル４６に接触する膨張可能な部材２０の間を空気が通過し、かつ、患者１２と患者１２に接触する膨張可能な部材の間を空気が通過することが可能なように形成される。この場合には、膨張可能な部材２０は、物体に対して押しつけられるが、シール配列を形成するほどに十分な力で物体に対して押しつけることはない。しかしながら、ある種の例示的実施形態においては、膨張可能な部材２０の長さの一部に沿って、シールが形成されるようにすることができる。
【００５２】
図におけるポート４２の説明に関して、ポート４２の形状及び配置は、例示のみの役割をもつもので、膨張可能な部材２０と組み合わせて使用できる形式を限定するものではないことを理解すべきである。図示されたポート４２の代替物を限定的な意味をもたないものとして挙げると、膨張可能な部材２０又はチャンバー２８から外向きに突出しないポート、及び手術用ドレープ１０の上部表面から接近できるポートがある。
【００５３】
本発明は、上記された手術用ドレープ１０に対して加えることが可能な様々な変更を含み、これらは、添付された特許請求の範囲及びその均等手段の範囲内とに含まれるものであることを理解すべきである。
【図面の簡単な説明】
【００５４】
【図１】非膨張状態にある膨張可能な部材を備えた本発明の１つの例示的実施形態による手術用ドレープの斜視図である。
【図２】図１の２−２の線から見た断面図である。
【図３】膨張可能な部材が膨張状態に置かれた時の、図１の手術用ドレープの斜視図である。
【図４】図３の４−４の線から見た断面図である。
【図５】膨張可能な部材が非膨張状態にある時の、本発明の１つの例示的実施形態による手術用ドレープの透視図である。
【図６】図５の６−６の線から見た断面図である。
【図７】膨張可能な部材を非膨張状態に置かれた図５の手術用ドレープの透視図である。
【図８】図７の８−８の線から見た断面図である。
【図９】膨張可能な部材が非膨張状態にある時の、本発明による手術用ドレープの例示的実施形態の側面図である。
【図１０】膨張可能な部材が膨張状態にある時の、図９に示された手術用ドレープの側面図である。
【図１１】膨張可能な部材が非膨張状態に示されている、本発明の１つの例示的実施形態による手術用ドレープの透視図である。
【図１２】図１１の線１２−１２から見た断面図である。
【図１３】膨張可能な部材が膨張状態にある時の、図１１の手術用ドレープの透視図である。
【図１４】図１３の線１４−１４から見た断面図である。
【図１５】膨張可能な部材が非膨張状態にある時の、本発明による手術用ドレープの例示的実施形態の透視図である。
【図１６】膨張可能な部材が膨張状態にある時の、図１５の手術用ドレープの透視図である。
【図１７】膨張可能な部材が非膨張状態にある時の、本発明による手術用ドレープの例示的実施形態の側面図である。
【図１８】膨張可能な部材が膨張状態にある時の、図１７の手術用ドレープの側面図である。
【図１９】膨張可能な部材が非膨張状態にある時の、本発明による手術用ドレープの例示的実施形態の透視図である。
【図２０】膨張可能な部材が膨張状態にある時の、図１９の手術用ドレープの透視図である。
【図２１】膨張可能な部材が非膨張状態にある時の、本発明により使用される手術用ドレープの例示的実施形態の透視図である。
【図２２】図２１の線２２−２２から見た断面図である。
【図２３】膨張可能な部材が膨張状態にある時の、図２１の手術用ドレープの透視図である。
【図２４】図２３の線２４−２４から見た断面図である。
【図２５】膨張可能な部材が非膨張状態にある時の、本発明の１つの例示的実施形態による子袋を含む手術用ドレープの透視図である。
【図２６】膨張可能な部材が膨張状態にある時の、図２５の手術用ドレープの透視図である。
【図２７】図２５の子袋を含む手術用ドレープの組立分解図である。
【符号の説明】
【００５５】
１０  手術用ドレープ
１２  患者
１４  シート
２０  膨張可能な部材
２２  開窓
２４  布
２８  チャンバー
３０  連続気泡発泡体
３２  袋
３４  手術用器具
３６  流体保持子袋
４２  ポート
４６  テーブル
４８  谷部
【図１】
2007513733.tif 000003
【図２】
2007513733.tif 000004
【図３】
2007513733.tif 000005
【図４】
2007513733.tif 000006
【図５】
2007513733.tif 000007
【図６】
2007513733.tif 000008
【図７】
2007513733.tif 000009
【図８】
2007513733.tif 000010
【図９】
2007513733.tif 000011
【図１０】
2007513733.tif 000012
【図１１】
2007513733.tif 000013
【図１２】
2007513733.tif 000014
【図１３】
2007513733.tif 000015
【図１４】
2007513733.tif 000016
【図１５】
2007513733.tif 000017
【図１６】
2007513733.tif 000018
【図１７】
2007513733.tif 000019
【図１８】
2007513733.tif 000020
【図１９】
2007513733.tif 000021
【図２０】
2007513733.tif 000022
【図２１】
2007513733.tif 000023
【図２２】
2007513733.tif 000024
【図２３】
2007513733.tif 000025
【図２４】
2007513733.tif 000026
【図２５】
2007513733.tif 000027
【図２６】
2007513733.tif 000028
【図２７】
2007513733.tif 000029
【国際調査報告】
2007513733.tif 000030
2007513733.tif 000031
2007513733.tif 000032